(57)【要約】【課題】おむつ本体の上方端から排泄物の一部が漏れないようにした紙おむつを提供する。【解決手段】不透液性バックシート１と、透液性トップシート２との間に排泄物を吸収し保持する吸収体３を介在させて形成したおむつ本体１０において、当該おむつ本体１０の内面側に長さ方向に沿って対設された立体ギャザーのバリアトラップ５により挟まれているトップシート２の上部に切れ目７を設け、この切れ目７の両端部をバリアトラップ５の上端部にそれぞれ接着する。切れ目７の周辺部分はトップシート２が吸収体３に接着されずに非接着域が形成されており、バリアトラップ５の伸縮材のテンションにより切れ目７が持ち上げられて浮き上がり状のポケット８を形成する。おむつ本体１０の上方部へ移動する一部の排泄物は、ポケット８に導入されて吸収体３により吸収し保持されるため、おむつ本体１０の上方端からの漏れを抑えることができる。【選択図】図３
2010017394.tif 000002
【特許請求の範囲】
【請求項１】
透液性トップシート及び不透液性バックシート、これらの間に排泄物を吸収し保持する吸収体を備えた紙おむつにおいて、前記トップシートは紙おむつの幅方向に切れ目が入れられ、且つ当該切れ目の周辺部分はトップシートが前記吸収体に接着されずに非接着域が形成され、更に前記切れ目の両端部が前記紙おむつの内面に設けられている立体ギャザーに接着されることにより、前記トップシートが浮き上がり状のポケットを形成できるようにしたことを特徴とする紙おむつ。
【請求項２】
前記トップシートと立体ギャザーとの接着は、前記切れ目の両端部の表面側を立体ギャザーの上部内面側に接着することにより行われ、当該立体ギャザーの伸縮材のテンションによりトップシートが前記非接着域から持ち上がって前記ポケットを形成することを特徴とする請求項１に記載の紙おむつ。
【発明の詳細な説明】
【技術分野】
【０００１】
本発明は、おむつの上方端から尿や軟便等の排泄物が漏れないように塞ぎ止める機能を付与した紙おむつに関する。
【背景技術】
【０００２】
従来、紙おむつを使用していても、軟便を排便した際には吸収しきれずに漏れることがあるため、大きいタイプのパッドを使用して排泄物を保持するような方法が採用されている。しかしながら、このような方法では、多量に排便される場合や排便中の水分量が多い場合には、パッドにより充分吸収されずに漏れることが多くあった。
【０００３】
そこで、排泄物の漏れ防止対策として背漏れ防止シートなどの方法が採られてきたが、おむつの幅方向に防止シートがたった一枚有るだけでは、横になった時の体圧で潰れてしまい充分な背漏れ防止効果を得ることはできなかった。
【０００４】
又、股下部から腰部又は腹部に回った一部の排泄物が、おむつの上方端から漏れるのを防止するために、おむつ本体の内面側の上下端部にポケット状の空間部を設け、このポケット状の空間部により尿や軟便等の排出物を受け止めるようにしたおむつが、例えば特許文献１に開示されている。
【特許文献１】特開平７−１８４９４６号公報
【発明の開示】
【発明が解決しようとする課題】
【０００５】
上記のような従来のおむつは、おむつ本体におけるエンドフラップ部と吸収体とに跨ると共に、両側のバリヤカフス（バリアトラップに相当する）間に跨がるようにして腰部バリヤシートを配設し、当該腰部バリヤシートによって内方に開口するポケット状の空間部を形成するものである。このため、おむつ本体とは別に腰部バリヤシートを必要とし、且つこの腰部バリヤシートをおむつ本体に取り付ける工程を要することから製造コストの高騰を来たす問題がある。
【０００６】
本発明は、製造コストの高騰を来たすことなく、おむつ本体の上方端から尿及び軟便等の排泄物が漏れないように塞ぎ止める機能を付与した紙おむつを提供することを目的とする。
【課題を解決するための手段】
【０００７】
上記の目的を達成するための手段として、請求項１の発明は、透液性トップシート及び不透液性バックシート、これらの間に排泄物を吸収し保持する吸収体を備えた紙おむつにおいて、前記トップシートは紙おむつの幅方向に切れ目が入れられ、且つ当該切れ目の周辺部分はトップシートが前記吸収体に接着されずに非接着域が形成され、更に前記切れ目の両端部が前記紙おむつの内面に設けられている立体ギャザーに接着されることにより、前記トップシートが浮き上がり状のポケットを形成できるようにしたことを特徴とする。
【０００８】
又、請求項２の発明は、請求項１の紙おむつにおいて、前記トップシートと立体ギャザーとの接着は、前記切れ目の両端部の表面側を立体ギャザーの上部内面側に接着することにより行われ、当該立体ギャザーの伸縮材のテンションによりトップシートが前記非接着域から持ち上がって前記ポケットを形成することを特徴とする。
【発明の効果】
【０００９】
上記請求項１の発明によれば、透液性トップシートと不透液性バックシート、及びこれらの間に排泄物を吸収して保持する吸収体を備えた構成の紙おむつにおいて、前記トップシートには紙おむつの幅方向に切れ目が入っており、且つ当該切れ目の周辺部分はトップシートが前記吸収体に接着されずに非接着域が形成され、更に前記切れ目の両端部が紙おむつの内面に設けられている立体ギャザー（バリアトラップ）に接着されることにより、前記トップシートが浮き上がり状のポケットを形成できるようにしたので、従来の腰部バリヤシートを必要とせず、且つこの腰部バリヤシートをおむつ本体に取り付ける工程も不要となることから、製造コストの低減を図ることが可能となる。
【００１０】
上記請求項２の発明によれば、前記トップシートと立体ギャザーとの接着は、前記切れ目の両端部の表面側を立体ギャザーの上部内面側に接着することにより行われ、当該立体ギャザーの伸縮材のテンションによりトップシートが前記非接着域から持ち上がってポケットを形成するため、当該ポケットは入口部分が開かれた状態で保持され、排泄物を確実に導入することができる。これにより、背中側に流れる排泄物をポケットの中へ流れ込み易くし、おむつ本体に排泄物を塞ぎ止める機能を付与することができる。
【発明を実施するための最良の形態】
【００１１】
次に、本発明に係る紙おむつの実施形態を添付図面に基づいて説明する。
図１は、本発明に係る紙おむつの一実施形態を示す概略斜視図であり、図２は図１のＡ−Ａ線に沿う模式的概略断面図である。
【００１２】
図１、２において、１は不透液性のバックシート、２は透液性のトップシートであり、４は撥水性シートである。バックシート１とトップシート２との間には、排泄物を吸収保持する吸収体３が介在され、前記バックシート１と撥水性シート４との外周縁部を接着Ｐすることにより一体化しておむつ本体１０を形成する。これら構成部材の材質はいずれも周知であり、例えば不透液性バックシート１は、ポリエチレン等から成る薄い樹脂フィルムであり、透液性トップシート２は、ポリエチレン、ポリプロピレン、ポリエステル等の繊維をシート化した不織布、織布、カード布等から選択され、吸収体３は、綿状パルプ、高分子吸収材等を用いることができるが、これらに限定されない。又、バックシート１は排泄物の通過を防止すると共に、排泄物によるムレが生じないようにある程度の通気性を有することが望ましい。
【００１３】
紙おむつは、従来種々の構成のものや形状のものが知られているが、本実施形態の場合もおむつ本体１０の内面側に長さ方向に沿って略帯状に表出しているトップシート２を挟むようにして、前記撥水性シート４の両側部にバリアトラップ５が立設され、これらバリアトラップ５の上端部には複数本（図示の例では２本）のゴム製細線状の伸縮材６が、所定の伸度で引っ張られた状態でそれぞれ取り付けられている。これにより、バリアトラップ５は立体ギャザーとして形成されている。尚、撥水性シート４は、例えば撥水性のポリエチレン、ポリプロピレン、ポリエステル等の繊維をシート化した不織布として形成することができる。
【００１４】
図１に示すように、おむつ本体１０は、ほぼ中央部分が内側にくびれた砂時計型を呈しており、その上半部で着用者の腰部から臀部を覆い、下半部で腹部を覆い、中央部分は股下部を覆うと共に、内側へのくびれ部分は脚回りとなるようにしてあるが、形状はこれらに限定されない。そして、図示は省略したが、おむつ本体１０の上端部及び下端部にはゴム等の弾性部材を取り付け、脚回りとなる部分もゴム等の弾性部材を取り付け、更に上端部の両側にファスニングテープを取り付けることがある。
【００１５】
前記のように撥水性シート４は、両側部にバリアトラップ５を起立させて設け、その上端部を折り返して前記伸縮材６を配設する。このバリアトラップ５は、撥水性シート４とは別体に形成して下端部を折り曲げ、その折り曲げ部分と撥水性シート４とを接着して立設するようにしても良い。このバリアトラップ５により挟まれているトップシート２の中央帯域２ａは、前記吸収体３の表面に線状又はスパイラル状に接着し、或は面状に接着して位置ズレを抑えることが好ましい。この接着剤としては、例えば熱溶融接着剤を用いることができる。
【００１６】
図１において、７はバリアトラップ５に挟まれたトップシート２の上部に設けられた切れ目であり、おむつ本体１０の幅方向に沿って形成されている。この切れ目７は、両端がバリアトラップ５の立ち上がり部近傍まで延びていることが好ましい。
【００１７】
図５に示すように、前記切れ目７の周辺部分は、トップシート２と吸収体３とが接着していない非接着域９（斜線で示す領域）が形成されており、図４のように前記バリアトラップ５の上端内面側とトップシート２の切れ目７の両端表面側とがそれぞれ接着Ｑされ、前記伸縮材６の張力によって切れ目７を非接着域９から持ち上げて開口させると共に、この開口状態にて保持される。これにより、開口した切れ目７を入口として吸収体３に通じる浮き上がり状のポケット８が形成される。この時、前記接着Ｑの位置を変え、又は／及び非接着域９の面積を変えることにより、ポケット８の容量を調整することができる。
【００１８】
図１において、前記切れ目７の位置（おむつ本体１０の上端からの距離Ｌ）は、例えばおむつ本体１０の長手方向の寸法が約６０ｃｍの場合は１０ｃｍ〜１５ｃｍ程度とし、切れ目７の長さ寸法Ｗは、バリアトラップ５の間隔が約２０ｃｍの場合（高さは約５ｃｍ）は１２ｃｍ〜１８ｃｍ程度とする。但し、おむつ本体１０の大きさに応じて、これらの数値は適宜設定するものとする。
【００１９】
本発明に係る紙おむつは、おむつ本体１０におけるトップシート２の上部に切れ目７が設けられ、この切れ目７から吸収体３に通じるポケット８が形成されるため、例えば病人や老人等の要介護者が横臥状態で着用した場合に、おむつ本体１０の上方側に向かって移動する排泄物をポケット８内に導いて吸収し保持することができる。これにより、股下部から腰部に回った一部の排泄物（特に尿や軟便等）がおむつ本体１０の上方端から漏れるのを防ぐことができる。
【００２０】
又、前記のように切れ目７の両端部は、立体ギャザーのバリアトラップ５の上端部にそれぞれ接着され、前記線状の伸縮材６により持ち上げられて開口状態が保持されるため、寝たままの状態で着用しても体圧で押し潰されず、排泄物を効率良くポケット８内に導入することができる。このため、おむつ本体１０の上方端からの漏れを確実に防止することができる。
【００２１】
更に、切れ目７は、バリアトラップ５により挟まれたトップシート２の上部を、おむつ本体１０の幅方向に沿って切断して設けるため、従来のようなトップシート２とは別体の腰部バリヤシートを必要とせず、且つこの腰部バリヤシートをおむつ本体１０に取り付ける工程も不要となることから、製造コストの低減を図ることが可能となる。
【００２２】
図示は省略したが、前記おむつ本体１０の内面側の下部にも前記吸収体３に通じるようにして切れ目を設けてポケットを形成すれば、おむつ本体１０の前面側で上方に向かって移動する排泄物をポケット内に導入して吸収し、保持することができる。これにより、おむつ着用者の腹側において、排泄物の一部が上方端から漏れるのを防止することが可能となる。尚、当該切れ目より股下側にポケットを設け、このポケット内に男性器を収納した状態でおむつ本体１０を着用すれば、特に尿の上方漏れを確実に防止することができる。
【産業上の利用可能性】
【００２３】
本発明は、特に使い捨ての紙おむつとして有効利用を図ることができ、おむつ本体とは別体の腰部バリヤシートを取り付けることなくポケットを形成し、排泄物の一部がおむつ本体の上方端から漏れないように抑えることができる。
【図面の簡単な説明】
【００２４】
【図１】本発明に係る紙おむつの実施形態を示す概略斜視図である。
【図２】図１におけるＡ−Ａ線に沿う模式的概略断面図である。
【図３】おむつ本体に設けた切れ目の両端部をバリアトラップの上端部にそれぞれ取り付けて開口させる状態を示す概略斜視図である。
【図４】図３におけるＢ−Ｂ線に沿う模式的概略断面図である。
【図５】おむつ本体に設ける切れ目の周辺部分を非接着域とした状態を示す概略斜視図である。
【符号の説明】
【００２５】
１  バックシート
２  トップシート
３  吸収体
４  撥水性シート
５  バリアトラップ
６  伸縮材
７  切れ目
８  ポケット
９  非接着域
１０  おむつ本体
【図１】
2010017394.tif 000003
【図２】
2010017394.tif 000004
【図３】
2010017394.tif 000005
【図４】
2010017394.tif 000006
【図５】
2010017394.tif 000007